(57)【特許請求の範囲】
【請求項１】
変速機ケース内に回転自在に軸支されると共に駆動源からの動力により回転される入力軸を備え、該入力軸の回転を複数段に変速して出力部材から出力する自動変速機であって、
サンギヤ、キャリア及びリングギヤからなる３つの要素を夫々備える第１から第４の４つの遊星歯車機構が設けられ、
前記第１遊星歯車機構の３つの要素を、相対回転速度比を直線で表すことができる共線図におけるギヤ比に対応する間隔での並び順に夫々第１要素、第２要素及び第３要素とし、
前記第２遊星歯車機構の３つの要素を、共線図におけるギヤ比に対応する間隔での並び順に夫々第４要素、第５要素及び第６要素とし、
前記第３遊星歯車機構の３つの要素を、共線図におけるギヤ比に対応する間隔での並び順に夫々第７要素、第８要素及び第９要素とし、
前記第４遊星歯車機構の３つの要素を、共線図におけるギヤ比に対応する間隔での並び順に夫々第１０要素、第１１要素及び第１２要素として、
前記第２要素と前記第６要素とを連結して第１連結体が構成され、前記第３要素と前記第８要素とを連結して第２連結体が構成され、前記第５要素と前記第１１要素とを連結して第３連結体が構成され、前記第７要素と前記第１２要素とを連結して第４連結体が構成され、
前記第１要素が前記入力軸に連結され、前記第１０要素が前記出力部材に連結され、
係合機構として、第１から第５の５つのブレーキと、第１及び第２の２つのクラッチとを備え、
前記第１ブレーキは、前記第４要素を前記変速機ケースに固定する固定状態と、この固定を解除する開放状態とに切換自在に構成され、
前記第２ブレーキは、前記第９要素を前記変速機ケースに固定する固定状態と、この固定を解除する開放状態とに切換自在に構成され、
前記第３ブレーキは、前記第２連結体を前記変速機ケースに固定する固定状態と、この固定を解除する開放状態とに切換自在に構成され、
前記第４ブレーキは、前記第３連結体を前記変速機ケースに固定する固定状態と、この固定を解除する開放状態とに切換自在に構成され、
前記第５ブレーキは、前記第１連結体を前記変速機ケースに固定する固定状態と、この固定を解除する開放状態とに切換自在に構成され、
前記第１クラッチは、前記第１要素と前記第３連結体とを連結する連結状態と、この連結を断つ開放状態とに切換自在に構成され、
前記第２クラッチは、前記第１連結体と前記第４連結体とを連結する連結状態と、この連結を断つ開放状態とに切換自在に構成され、
前記第１から第５の５つのブレーキと、前記第１及び第２の２つのクラッチとの合計７つの係合機構のうち、少なくとも３つの係合機構を連結状態又は固定状態とすることにより、前進９段以上の各変速段を確立することを特徴とする自動変速機。
【請求項２】
請求項１に記載の自動変速機において、
前記第７要素は前記第３遊星歯車機構のリングギヤであり、
前記第１２要素は前記第４遊星歯車機構のサンギヤであり、
前記第４遊星歯車機構は、前記第３遊星歯車機構の径方向外方に配置され、
前記第３遊星歯車機構のリングギヤと前記第４遊星歯車機構のサンギヤとが一体に構成されることを特徴とする自動変速機。
【請求項３】
請求項１又は請求項２に記載の自動変速機において、
前記第１ブレーキ及び前記第４ブレーキの少なくとも何れか１つは、噛合機構であることを特徴とする自動変速機。
【請求項４】
請求項１又は請求項２に記載の自動変速機において、
前記第１ブレーキは、前記第４要素を前記変速機ケースに固定する固定状態と、この固定を解除する開放状態とに切換自在な２ウェイクラッチであることを特徴とする自動変速機。
【請求項５】
請求項１、請求項２及び請求項４に記載の自動変速機において、
前記第４ブレーキは、前記第３連結体の正転を許容し逆転を阻止する逆転阻止状態と、前記第３連結体の正転を阻止し逆転を許容する正転阻止状態とに切換自在な２ウェイクラッチであることを特徴とする自動変速機。
【請求項６】
請求項１から請求項５の何れか１項に記載の自動変速機において、
前記駆動源の動力を前記入力軸に伝達自在な発進クラッチを備えることを特徴とする自動変速機。
【請求項７】
請求項１から請求項５の何れか１項に記載の自動変速機において、
前記駆動源の動力は、トルクコンバータを介して前記入力軸に伝達されることを特徴とする自動変速機。
【発明の詳細な説明】
【技術分野】
【０００１】
本発明は、入力軸の回転を複数の遊星歯車機構を介して複数段に変速して出力部材から出力する自動変速機に関する。
【背景技術】
【０００２】
従来、入力用の第１遊星歯車機構と、変速用の第２及び第３の２つの遊星歯車機構と、６つの係合機構とを用いて、前進８段の変速を行うことができるようにした自動変速機が知られている（例えば、特許文献１参照）。
【０００３】
特許文献１のものでは、入力用の第１遊星歯車機構を、第１サンギヤと、第１リングギヤと、互いに噛合すると共に一方が第１サンギヤに噛合し他方が第１リングギヤに噛合する一対の第１ピニオンを自転及び公転自在に軸支する第１キャリアとからなる所謂ダブルピニオン型の遊星歯車機構で構成している。
【０００４】
第１遊星歯車機構は、第１サンギヤが変速機ケースに固定される固定要素、第１キャリアが入力軸に連結される入力要素、第１リングギヤが入力要素たる第１キャリアの回転速度を減速して出力する出力要素とされている。
【０００５】
又、変速用の２つの遊星歯車機構は、第２サンギヤと、第３サンギヤと、第３リングギヤと一体化された第２リングギヤと、互いに噛合すると共に一方が第２サンギヤ及び第２リングギヤに噛合し他方が第３サンギヤに噛合する一対の第２ピニオンを自転及び公転自在に軸支する第２キャリアとからなるラビニヨ型の遊星歯車機構で構成されている。
【０００６】
このラビニヨ型の遊星歯車機構は、４つの回転要素を構成し、この４つの回転要素は、共線図（各回転要素の相対回転速度の比を直線で表すことができる図）においてギヤ比に対応する間隔を存して並ぶ。共線図における４つの回転要素を一方から順に、第１回転要素、第２回転要素、第３回転要素及び第４回転要素とすると、第１回転要素は第２サンギヤ、第２回転要素は第３キャリアと一体化された第２キャリア、第３回転要素は第３リングギヤと一体化された第２リングギヤ、第４回転要素は第３サンギヤとなる。
【０００７】
又、６つの係合機構は、第１遊星歯車機構の出力要素たる第１リングギヤと第３サンギヤからなる第４回転要素とを解除自在に連結する第１湿式多板クラッチと、入力軸と第２キャリアからなる第２回転要素とを解除自在に連結する第２湿式多板クラッチと、出力要素たる第１リングギヤと第２サンギヤからなる第１回転要素とを解除自在に連結する第３湿式多板クラッチと、入力要素たる第１キャリアと第２サンギヤからなる第１回転要素とを解除自在に連結する第４湿式多板クラッチと、第２サンギヤからなる第１回転要素を変速機ケースに解除自在に固定する第１ブレーキと、第２キャリアからなる第２回転要素を変速機ケースに解除自在に固定する第２ブレーキとを備える。
【０００８】
以上の構成によれば、第１湿式多板クラッチを連結状態とし第２ブレーキを固定状態とすることで１速段が確立され、第１湿式多板クラッチを連結状態とし第１ブレーキを固定状態とすることで２速段が確立され、第１湿式多板クラッチと第３湿式多板クラッチとを連結状態とすることで３速段が確立され、第１湿式多板クラッチと第４湿式多板クラッチとを連結状態とすることで４速段が確立される。
【０００９】
又、第１湿式多板クラッチと第２湿式多板クラッチとを連結状態とすることで５速段が確立され、第２湿式多板クラッチと第４湿式多板クラッチとを連結状態とすることで６速段が確立され、第２湿式多板クラッチと第３湿式多板クラッチとを連結状態とすることで７速段が確立され、第２湿式多板クラッチを連結状態とし第１ブレーキを固定状態とすることで８速段が確立される。
【先行技術文献】
【特許文献】
【００１０】
【特許文献１】特開２００５−２７３７６８号公報
【発明の概要】
【発明が解決しようとする課題】
【００１１】
上記従来例の自動変速機では、各変速段において連結状態又は固定状態とされる係合機構の数が２つになる。そのため、開放している残りの４つの係合機構の引き摺りによるフリクションロスが大きくなり、自動変速機の効率が悪化する不具合がある。
【００１２】
更に、前進９速段以上の変速を行えるようにするためには、係合機構を少なくとも１つ追加する必要がある。この場合、各変速段で開放される係合機構の数が５つ以上となり、フリクションロスが更に大きくなる。
【００１３】
本発明は、以上の点に鑑み、フリクションロスを増加させることなく、前進９段以上の変速段を確立できる自動変速機を提供することを目的とする。
【課題を解決するための手段】
【００１４】
［１］上記目的を達成するため、本発明は、変速機ケース内に回転自在に軸支されると共に駆動源からの動力により回転される入力軸を備え、該入力軸の回転を複数段に変速して出力部材から出力する自動変速機であって、サンギヤ、キャリア及びリングギヤからなる３つの要素を夫々備える第１から第４の４つの遊星歯車機構が設けられ、前記第１遊星歯車機構の３つの要素を、相対回転速度比を直線で表すことができる共線図におけるギヤ比に対応する間隔での並び順に一方から夫々第１要素、第２要素及び第３要素とし、前記第２遊星歯車機構の３つの要素を、共線図におけるギヤ比に対応する間隔での並び順に一方から夫々第４要素、第５要素及び第６要素とし、前記第３遊星歯車機構の３つの要素を、共線図におけるギヤ比に対応する間隔での並び順に一方から夫々第７要素、第８要素及び第９要素とし、前記第４遊星歯車機構の３つの要素を、共線図におけるギヤ比に対応する間隔での並び順に一方から夫々第１０要素、第１１要素及び第１２要素として、前記第２要素と前記第６要素とを連結して第１連結体が構成され、前記第３要素と前記第８要素とを連結して第２連結体が構成され、前記第５要素と前記第１１要素とを連結して第３連結体が構成され、前記第７要素と前記第１２要素とを連結して第４連結体が構成され、前記第１要素が前記入力軸に連結され、前記第１０要素が前記出力部材に連結される。
【００１５】
そして、係合機構として、第１から第５の５つのブレーキと、第１及び第２の２つのクラッチとを備え、前記第１ブレーキは、前記第４要素を前記変速機ケースに固定する固定状態と、この固定を解除する開放状態とに切換自在に構成され、前記第２ブレーキは、前記第９要素を前記変速機ケースに固定する固定状態と、この固定を解除する開放状態とに切換自在に構成され、前記第３ブレーキは、前記第２連結体を前記変速機ケースに固定する固定状態と、この固定を解除する開放状態とに切換自在に構成され、前記第４ブレーキは、前記第３連結体を前記変速機ケースに固定する固定状態と、この固定を解除する開放状態とに切換自在に構成され、前記第５ブレーキは、前記第１連結体を前記変速機ケースに固定する固定状態と、この固定を解除する開放状態とに切換自在に構成され、前記第１クラッチは、前記第１要素と前記第３連結体とを連結する連結状態と、この連結を断つ開放状態とに切換自在に構成され、前記第２クラッチは、前記第１連結体と前記第４連結体とを連結する連結状態と、この連結を断つ開放状態とに切換自在に構成され、前記第１から第５の５つのブレーキと、前記第１及び第２の２つのクラッチとの合計７つの係合機構のうち、少なくとも３つの係合機構を連結状態又は固定状態とすることにより、前進９段以上の各変速段を確立することを特徴とする。
【００１６】
本発明によれば、後述する実施形態の説明から明らかなように、前進９段以上の変速を行なうことができる。又、５つのブレーキと２つのクラッチの合計７つの係合機構のうち、各変速段において３つの係合機構が係合して連結状態又は固定状態となる。そのため、各変速段で連結及び固定状態でなく開放される係合機構の数は４つになり、従来のように前進８段までしか確立できず各変速段で４つの係合機構が開放されるものに比べて、係合機構によるフリクションロスを増加させることなく変速段数を前進９段以上に増加させることができる。従って、自動変速機の伝達効率を低下させることなく多段化による車両の燃費向上を図ることができる。
【００１７】
［２］本発明においては、第７要素を第３遊星歯車機構のリングギヤ、第１２要素を第４遊星歯車機構のサンギヤで構成し、第４遊星歯車機構を第３遊星歯車機構の径方向外方に配置し、第３遊星歯車機構のリングギヤと第４遊星歯車機構のサンギヤとを一体に構成して第４連結体を構成することが好ましい。
【００１８】
これによれば、第４遊星歯車機構と第３遊星歯車機構とが径方向に重なり合うため、第４遊星歯車機構と第３遊星歯車機構とを入力軸の軸線上に並べて配置した場合に比べて、自動変速機の軸長を短縮することができ、車両、特にＦＦ（フロントエンジン・フロントドライブ）式の車両への搭載性を向上させることができる。
【００１９】
［３］本発明においては、前記第１ブレーキ及び前記第４ブレーキの少なくとも何れか１つを、ドグクラッチやシンクロメッシュ機構等の噛合機構で構成することができる。噛合機構はフリクションロスが発生しないため、第１ブレーキ及び第４ブレーキの何れかが開放状態となる変速段のフリクションロスを更に抑制することができ、車両の燃費を向上させることができる。
【００２０】
［４］本発明において、第１ブレーキは、第４要素を前記変速機ケースに固定する固定状態と、この固定を解除する開放状態とに切換自在な２ウェイクラッチで構成することもできる。
【００２１】
これによれば、第４要素が第１ブレーキたる２ウェイクラッチにより変速機ケースに固定されていない開放状態となる変速段においても、第１ブレーキたる２ウェイクラッチでフリクションロスが発生しない。このため、自動変速機全体として、フリクションロスをより低減させることができる。
【００２２】
［５］本発明において、第４ブレーキは、第３連結体の正転を許容し逆転を阻止する逆転阻止状態と、第３連結体の正転を阻止し逆転を許容する正転阻止状態とに切換自在な２ウェイクラッチで構成することもできる。
【００２３】
これによれば、後述する実施形態の説明から明らかなように、変速の制御性が向上される。又、第４ブレーキを２ウェイクラッチで構成する場合、第３連結体が第４ブレーキたる２ウェイクラッチにより変速機ケースに固定されていない開放状態となる変速段においても、第４ブレーキたる２ウェイクラッチでフリクションロスが発生しない。このため、自動変速機全体として、フリクションロスをより低減させることができる。
【００２４】
［５］本発明においては、駆動源の動力を入力軸に伝達自在な発進クラッチを設けてもよい。
【００２５】
［６］本発明においては、駆動源の動力が、トルクコンバータを介して入力軸に伝達されるように構成してもよい。
【図面の簡単な説明】
【００２６】
【図１】本発明の一実施形態に係る自動変速機のスケルトン図である。
【図２】図１の自動変速機における遊星歯車機構の共線図である。
【図３】（ａ）は図１の自動変速機の各変速段における係合機構の状態を纏めて示す図であり、（ｂ）は各変速段のギヤレシオの一例を示す図であり、（ｃ）は各変速段の公比の一例を示す図であり、（ｄ）は各遊星歯車機構のギヤ比及び自動変速機のレシオレンジの一例を示す図である。
【図４】図１の自動変速機の第１ブレーキ及び第４ブレーキを湿式多板クラッチで構成した例を示す図である。
【図５】図１の自動変速機の第１ブレーキ及び第４ブレーキを２ウェイクラッチで構成した例を示す図である。
【図６】図５の２ウェイクラッチの一例を示す断面図である。
【図７】図１の自動変速機のトルクコンバータの代わりにダンパ及び発進クラッチを用いた例を示す図である。
【発明を実施するための形態】
【００２７】
図１は、本発明の一実施形態に係る自動変速機の上半分を示す。この自動変速機は、変速機ケース１内に回転自在に軸支された入力軸２と、入力軸２と同心に配置された出力ギヤからなる出力部材３とを備える。入力軸２には、駆動源としてのエンジンＥＮＧの動力がトルクコンバータＴＣを介して入力される。出力部材３の動力は、図外のデファレンシャルギヤやプロペラシャフトを介して車両の左右の駆動輪に伝達される。
【００２８】
トルクコンバータＴＣは、動力の伝達媒体として流体を用いる流体式トルクコンバータであり、エンジンＥＮＧから入力軸２へ直接動力を伝達自在なロックアップクラッチＬＣを備える。ロックアップクラッチＬＣを締結しているときには、エンジンＥＮＧのトルク変動が入力軸２に伝達されてしまう。このため、ねじりダンパ装置ＤＡを設け、このねじりダンパ装置ＤＡの弾性力によってエンジンＥＮＧのトルク変動を吸収できるようにしている。
【００２９】
変速機ケース１内には、第１遊星歯車機構ＰＧＳ１と、第２遊星歯車機構ＰＧＳ２と、第３遊星歯車機構ＰＧＳ３と、第４遊星歯車機構ＰＧＳ４とが入力軸２と同心に配置されている。
【００３０】
第１遊星歯車機構ＰＧＳ１は、サンギヤＳａと、リングギヤＲａと、サンギヤＳａとリングギヤＲａとに噛合するピニオンＰａを自転及び公転自在に軸支するキャリアＣａとからなる所謂シングルピニオン型の遊星歯車機構で構成されている。
【００３１】
図２の最上段に示す第１遊星歯車機構ＰＧＳ１の共線図（各要素の相対回転速度の比を直線で表すことができる図）を参照して、第１遊星歯車機構ＰＧＳ１の３つの要素Ｓａ，Ｃａ，Ｒａを、共線図におけるギヤ比に対応する間隔での並び順に左側から夫々第１要素、第２要素及び第３要素とすると、第１要素はサンギヤＳａ、第２要素はキャリアＣａ、第３要素はリングギヤＲａになる。
【００３２】
ここで、サンギヤＳａとキャリアＣａ間の間隔とキャリアＣａとリングギヤＲａ間の間隔との比は、第１遊星歯車機構ＰＧＳ１のギヤ比（リングギヤの歯数／サンギヤの歯数）をｈとして、ｈ：１に設定される。尚、共線図において、下の横線と上の横線は夫々回転速度が「０」と「１」（入力軸２と同じ回転速度）であることを示している。
【００３３】
第２遊星歯車機構ＰＧＳ２は、第１遊星歯車ＰＧＳ１と同様に、サンギヤＳｂと、リングギヤＲｂと、サンギヤＳｂとリングギヤＲｂとに噛合するピニオンＰｂを自転及び公転自在に軸支するキャリアＣｂとからなる所謂シングルピニオン型の遊星歯車機構で構成されている。
【００３４】
図２の上から２段目に示す第２遊星歯車機構ＰＧＳ２の共線図を参照して、第２遊星歯車機構ＰＧＳ２の３つの要素Ｓｂ，Ｃｂ，Ｒｂを、共線図におけるギヤ比に対応する間隔での並び順に左側から夫々第４要素、第５要素及び第６要素とすると、第４要素はサンギヤＳｂ、第５要素はキャリアＣｂ、第６要素はリングギヤＲｂになる。サンギヤＳｂとキャリアＣｂ間の間隔とキャリアＣｂとリングギヤＲｂ間の間隔との比は、第２遊星歯車機構ＰＧＳ２のギヤ比をｉとして、ｉ：１に設定される。
【００３５】
第３遊星歯車機構ＰＧＳ３は、第１及び第２遊星歯車機構ＰＧＳ１，ＰＧＳ２と同様に、サンギヤＳｃと、リングギヤＲｃと、サンギヤＳｃとリングギヤＲｃとに噛合するピニオンＰｃを自転及び公転自在に軸支するキャリアＣｃとからなる所謂シングルピニオン型の遊星歯車機構で構成されている。
【００３６】
図２の上から３段目に示す第３遊星歯車機構ＰＧＳ３の共線図を参照して、第３遊星歯車機構ＰＧＳ３の３つの要素Ｓｃ，Ｃｃ，Ｒｃを、共線図におけるギヤ比に対応する間隔での並び順に左側から夫々第７要素、第８要素及び第９要素とすると、第７要素はリングギヤＲｃ、第８要素はキャリアＣｃ、第９要素はサンギヤＳｃになる。サンギヤＳｃとキャリアＣｃ間の間隔とキャリアＣｃとリングギヤＲｃ間の間隔との比は、第３遊星歯車機構ＰＧＳ３のギヤ比をｊとして、ｊ：１に設定される。
【００３７】
第４遊星歯車機構ＰＧＳ４は、第１〜第３遊星歯車機構ＰＧＳ１〜ＰＧＳ３と同様に、サンギヤＳｄと、リングギヤＲｄと、サンギヤＳｄとリングギヤＲｄとに噛合するピニオンＰｄを自転及び公転自在に軸支するキャリアＣｄとからなる所謂シングルピニオン型の遊星歯車機構で構成されている。
【００３８】
図２の最下段（上から４段目）に示す第４遊星歯車機構ＰＧＳ４の共線図を参照して、第４遊星歯車機構ＰＧＳ４の３つの要素Ｓｄ，Ｃｄ，Ｒｄを、共線図におけるギヤ比に対応する間隔での並び順に左側から夫々第１０要素、第１１要素及び第１２要素とすると、第１０要素はリングギヤＲｄ、第１１要素はキャリアＣｄ、第１２要素はサンギヤＳｄになる。サンギヤＳｄとキャリアＣｄ間の間隔とキャリアＣｄとリングギヤＲｄ間の間隔との比は、第４遊星歯車機構ＰＧＳ４のギヤ比をｋとして、ｋ：１に設定される。
【００３９】
第１遊星歯車機構ＰＧＳ１のキャリアＣａ（第２要素）と第２遊星歯車機構ＰＧＳ２のリングギヤＲｂ（第６要素）とが連結されて、第１連結体Ｃａ−Ｒｂが構成されている。又、第１遊星歯車機構ＰＧＳ１のリングギヤＲａ（第３要素）と第３遊星歯車機構ＰＧＳ３のキャリアＣｃ（第８要素）とが連結されて、第２連結体Ｒａ−Ｃｃが構成されている。
【００４０】
又、第２遊星歯車機構ＰＧＳ２のキャリアＣｂ（第５要素）と第４遊星歯車機構ＰＧＳ４のキャリアＣｄ（第１１要素）とが連結されて、第３連結体Ｃｂ−Ｃｄが構成されている。又、第３遊星歯車機構ＰＧＳ３のリングギヤＲｃ（第７要素）と第４遊星歯車機構ＰＧＳ４のサンギヤＳｄ（第１２要素）とが連結されて、第４連結体Ｒｃ−Ｓｄが構成されている。第１遊星歯車機構ＰＧＳ１のサンギヤＳａ（第１要素）は入力軸２に連結されている。第４遊星歯車機構ＰＧＳ４のリングギヤＲｄ（第１０要素）は出力部材３に連結されている。
【００４１】
又、本実施形態の自動変速機は、係合機構として、第１から第５の５つのブレーキＢ１〜Ｂ５と、第１と第２の２つのクラッチＣ１，Ｃ２とを備える。
【００４２】
第１ブレーキＢ１及び第４ブレーキＢ４は噛合機構としてのドグクラッチで構成され、第２ブレーキＢ２、第３ブレーキＢ３及び第５ブレーキＢ５は湿式多板ブレーキで構成されている。又、第１クラッチＣ１及び第２クラッチＣ２は湿式多板クラッチで構成されている。
【００４３】
第１ブレーキＢ１は、第２遊星歯車機構ＰＧＳ２のサンギヤＳｂ（第４要素）を変速機ケース１に固定する固定状態と、この固定を解除する開放状態とに切換自在に構成されている。第２ブレーキＢ２は、第３遊星歯車機構ＰＧＳ３のサンギヤＳｃ（第９要素）を変速機ケース１に固定する固定状態と、この固定を解除する開放状態とに切換自在に構成されている。
【００４４】
第３ブレーキＢ３は、第２連結体Ｒａ−Ｃｃを変速機ケース１に固定する固定状態と、この固定を解除する開放状態とに切換自在に構成されている。第４ブレーキＢ４は、第３連結体Ｃｂ−Ｃｄを変速機ケース１に固定する固定状態と、この固定を解除する開放状態とに切換自在に構成されている。第５ブレーキＢ５は、第１連結体Ｃａ−Ｒｂを変速機ケース１に固定する固定状態と、この固定を解除する開放状態とに切換自在に構成されている。
【００４５】
第１クラッチＣ１は、第１遊星歯車機構ＰＧＳ１のサンギヤＳａ（第１要素）と第３連結体Ｃｂ−Ｃｄとを連結する連結状態と、この連結を断つ開放状態とに切換自在に構成されている。第２クラッチＣ２は、第１連結体Ｃａ−Ｒｂと第４連結体Ｒｃ−Ｓｄとを連結する連結状態と、この連結を断つ開放状態とに切換自在に構成されている。
【００４６】
各係合機構Ｂ１〜Ｂ５，Ｃ１，Ｃ２は、図外のトランスミッション・コントロール・ユニットにより状態が切り換えられる。
【００４７】
変速機ケース１内には、入力軸２の軸線上に、エンジンＥＮＧ及びトルクコンバータＴＣ側から、第１ブレーキＢ１、第２遊星歯車機構ＰＧＳ２、第１クラッチＣ１、第１遊星歯車機構ＰＧＳ１、第２クラッチＣ２、第３遊星歯車機構ＰＧＳ３、出力部材３、第３ブレーキＢ３、第２ブレーキＢ２、第５ブレーキＢ５の順番で配置されている。
【００４８】
又、第４遊星歯車機構ＰＧＳ４は、第３遊星歯車機構ＰＧＳ３の径方向外方に配置されており、第３遊星歯車機構ＰＧＳ３のリングギヤＲｃ（第７要素）と第４遊星歯車機構ＰＧＳ４のサンギヤＳｄ（第１２要素）とが一体に形成されて第４連結体Ｒｃ−Ｓｄを構成している。これにより、第３遊星歯車機構ＰＧＳ３と第４遊星歯車機構ＰＧＳ４とが径方向に重なり合うため、第３遊星歯車機構ＰＧＳ３と第４遊星歯車機構ＰＧＳ４とを軸方向に並べて配置した場合に比べ、自動変速機の軸長の短縮化を図ることができ、車両、特に所謂ＦＦ式の車両への搭載性を向上させることができる。
【００４９】
尚、第３遊星歯車機構ＰＧＳ３と第４遊星歯車機構ＰＧＳ４とは、径方向で少なくとも一部が重なり合っていればよく、これによって軸長の短縮化を図ることができるが、両者が完全に径方向で重なり合っていれば、最も軸長を短くすることができる。
【００５０】
又、上記の構成により、第１〜第３及び第５の４つのブレーキＢ１〜Ｂ３，Ｂ５が変速機ケース１内において入力軸２の軸線上の両端部に配置されることとなり、遊星歯車機構やクラッチが邪魔とならず、ブレーキ用の油路の設計自由度が向上する。
【００５１】
変速機ケース１内には、出力部材３と第３ブレーキＢ３との間に位置させて、径方向内方に延びる側壁１ａが設けられている。この側壁１ａには、出力部材３の軸方向に延びる筒状部１ｂが設けられている。出力部材３は、この筒状部１ｂにベアリングを介して軸支されている。このように構成することにより、変速機ケース１に連なる機械的強度の高い筒状部１ｂで出力部材３をしっかりと軸支させることができる。
【００５２】
本実施形態の自動変速機では、１速段を確立する場合には、第１ブレーキＢ１、第２ブレーキＢ２及び第４ブレーキＢ４を固定状態にする。第１ブレーキＢ１を固定状態にすることで、第２遊星歯車機構ＰＧＳ２のサンギヤＳｂ（第４要素）の回転速度が「０」となる。又、第４ブレーキＢ４を固定状態にすることで、第３連結体Ｃｂ−Ｃｄの回転速度が「０」となる。
【００５３】
従って、第２遊星歯車機構ＰＧＳ２のサンギヤＳｂ（第４要素）と第２遊星歯車機構ＰＧＳ２のキャリアＣｂ（第５要素）との回転速度が共に「０」となるため、第２遊星歯車機構ＰＧＳ２の第４〜第６の３つの要素Ｓｂ，Ｃｂ，Ｒｂが相対回転不能なロック状態となり、第４〜第６要素Ｓｂ，Ｃｂ，Ｒｂの回転速度が「０」となる。そして、第１連結体Ｃａ−Ｒｂの回転速度も「０」となる。
【００５４】
そして、入力軸２に連結された第１遊星歯車機構ＰＧＳ１のサンギヤＳａ（第１要素）の回転速度は「１」であるため、第２連結体Ｒａ−Ｃｃの回転速度が「−１／ｈ」となる（尚、マイナスは逆転方向の回転であることを示している）。
【００５５】
又、第２ブレーキＢ２を固定状態にすることで、第３遊星歯車機構ＰＧＳ３のサンギヤＳｃ（第９要素）の回転速度が「０」となり、第４連結体Ｒｃ−Ｓｄの回転速度が「−（ｊ＋１）／（ｈｊ）」となる。
【００５６】
従って、出力部材３に連結された第４遊星歯車機構ＰＧＳ４のリングギヤＲｄ（第１０要素）の回転速度が「（ｊ＋１）／（ｈｊｋ）」となって、１速段が確立される。
【００５７】
２速段を確立する場合には、第１ブレーキＢ１、第２ブレーキＢ２及び第３ブレーキＢ３を固定状態にする。第３ブレーキＢ３を固定状態にすることで、第２連結体Ｒａ−Ｃｃの回転速度が「０」となる。入力軸２に連結された第１遊星歯車機構ＰＧＳ１のサンギヤＳａ（第１要素）の回転速度は「１」であるため、第１連結体Ｃａ−Ｒｂの回転速度が「１／（ｈ＋１）」となる。
【００５８】
そして、第１ブレーキＢ１を固定状態にすることで、第２遊星歯車機構ＰＧＳ２のサンギヤＳｂ（第４要素）の回転速度が「０」となり、第３連結体Ｃｂ−Ｃｄの回転速度が「ｉ／｛（ｈ＋１）・（ｉ＋１）｝」となる。
【００５９】
又、第２ブレーキＢ２を固定状態にすることで、第３遊星歯車機構ＰＧＳ３のサンギヤＳｃ（第９要素）の回転速度が「０」となり、第３遊星歯車機構ＰＧＳ３のキャリアＣｃ（第８要素）と第３遊星歯車機構ＰＧＳ３のサンギヤＳｃ（第９要素）との回転速度が共に「０」となるため、第３遊星歯車機構ＰＧＳ３の第７〜第９の３つの要素Ｒｃ，Ｃｃ，Ｓｃが相対回転不能なロック状態となり、第７〜第９要素Ｒｃ，Ｃｃ，Ｓｃの回転速度が「０」となる。そして、第４連結体Ｒｃ−Ｓｄの回転速度も「０」となる。
【００６０】
従って、出力部材３に連結された第４遊星歯車機構ＰＧＳ４のリングギヤＲｄ（第１０要素）の回転速度が「ｉ・（ｋ＋１）／｛（ｈ＋１）・（ｉ＋１）・ｋ｝」となって、２速段が確立される。
【００６１】
３速段を確立する場合には、第１ブレーキＢ１及び第２ブレーキＢ２を固定状態にすると共に、第２クラッチＣ２を連結状態にする。第２クラッチＣ２を連結状態にすることで、第１連結体Ｃａ−Ｒｂと第４連結体Ｒｃ−Ｓｄの回転速度が同一になる。
【００６２】
この場合には、第１遊星歯車機構ＰＧＳ１のサンギヤＳａ（第１要素）を第１回転要素Ｙ１、第１連結体Ｃａ−Ｒｂ及び第４連結体Ｒｃ−Ｓｄを第２回転要素Ｙ２、第２連結体Ｒａ−Ｃｃを第３回転要素Ｙ３、第３遊星歯車機構ＰＧＳ３のサンギヤＳｃ（第９要素）を第４回転要素Ｙ４とすると、Ｙ１〜Ｙ４の４つの回転要素の回転速度の比を共線図上において直線で表すことができる。
【００６３】
このとき、第１回転要素Ｙ１と第２回転要素Ｙ２間の間隔、第２回転要素Ｙ２と第３回転要素Ｙ３間の間隔、及び第３回転要素Ｙ３と第４回転要素Ｙ４間の間隔は、「ｈ：１：ｊ」で表される。
【００６４】
そして、第２ブレーキＢ２を固定状態にすることで、第３遊星歯車機構ＰＧＳ３のサンギヤＳｃ（第９要素）の回転速度が「０」となる。入力軸２に連結された第１遊星歯車機構ＰＧＳ１のサンギヤＳａ（第１要素）の回転速度は「１」であるため、第１連結体Ｃａ−Ｒｂ及び第４連結体Ｒｃ−Ｓｄの回転速度が「（ｊ＋１）／（ｈ＋ｊ＋１）」となる。
【００６５】
そして、第１ブレーキＢ１を固定状態にすることで、第２遊星歯車機構ＰＧＳ２のサンギヤＳｂ（第４要素）の回転速度が「０」となり、第３連結体Ｃｂ−Ｃｄの回転速度が「ｉ・（ｊ＋１）／｛（ｉ＋１）・（ｈ＋ｊ＋１）｝」となる。従って、出力部材３に連結された第４遊星歯車機構ＰＧＳ４のリングギヤＲｄ（第１０要素）の回転速度が「｛（ｉｋ−１）・（ｊ＋１）｝／｛（ｉ＋１）・（ｈ＋ｊ＋１）・ｋ｝」となって、３速段が確立される。
【００６６】
４速段を確立する場合には、第１ブレーキＢ１及び第２ブレーキＢ２を固定状態にすると共に、第１クラッチＣ１を連結状態にする。第１ブレーキＢ１を固定状態にすることで、第２遊星歯車機構ＰＧＳ２のサンギヤＳｂ（第４要素）の回転速度が「０」となる。又、第１クラッチＣ１を連結状態にすることで、第３連結体Ｃｂ−Ｃｄの回転速度が「１」となる。このため、第１連結体Ｃａ−Ｒｂの回転速度が「（ｉ＋１）／ｉ」となる。
【００６７】
そして、入力軸２に連結された第１遊星歯車機構ＰＧＳ１のサンギヤＳａ（第１要素）の回転速度は「１」であるため、第２連結体Ｒａ−Ｃｃの回転速度が「（ｈｉ＋ｈ＋１）／（ｈｉ）」となる。そして、第２ブレーキＢ２を固定状態にすることで、第３遊星歯車機構ＰＧＳ３のサンギヤＳｃ（第９要素）の回転速度が「０」となる。このため、第４連結体Ｒｃ−Ｓｄの回転速度が「｛（ｊ＋１）・（ｈｉ＋ｈ＋１）｝／（ｈｉｊ）」となる。
【００６８】
従って、出力部材３に連結された第４遊星歯車機構ＰＧＳ４のリングギヤＲｄ（第１０要素）の回転速度が「｛ｈｉｊｋ−（ｈｉ＋ｈｊ＋ｈ＋ｊ＋１）｝／（ｈｉｊｋ）」となって、４速段が確立される。
【００６９】
５速段を確立する場合には、第１ブレーキＢ１を固定状態にすると共に、第１クラッチＣ１及び第２クラッチＣ２を連結状態にする。第１ブレーキＢ１を固定状態にすることで、第２遊星歯車機構ＰＧＳ２のサンギヤＳｂ（第４要素）の回転速度が「０」となる。そして、第１クラッチＣ１を連結状態にすることで、第３連結体Ｃｂ−Ｃｄの回転速度が「１」となる。このため、第１連結体Ｃａ−Ｒｂの回転速度が「（ｉ＋１）／ｉ」となる。
【００７０】
第２クラッチＣ２を連結状態にすることで、第４連結体Ｒｃ−Ｓｄが第１連結体Ｃａ−Ｒｂと同一速度で回転する。従って、出力部材３に連結された第４遊星歯車機構ＰＧＳ４のリングギヤＲｄ（第１０要素）の回転速度が「｛ｉ・（ｋ＋１）−（ｉ＋１）｝／（ｉｋ）」となって、５速段が確立される。
【００７１】
６速段を確立する場合には、第２ブレーキＢ２を固定状態にすると共に、第１クラッチＣ１及び第２クラッチＣ２を連結状態にする。３速段を確立する場合と同様に、第２ブレーキＢ２を固定状態にして、第２クラッチＣ２を連結状態にすることで、第１連結体Ｃａ−Ｒｂ及び第４連結体Ｒｃ−Ｓｄの回転速度が「（ｊ＋１）／（ｈ＋ｊ＋１）」となる。
【００７２】
又、第１クラッチＣ１を連結状態にすることで、第３連結体Ｃｂ−Ｃｄの回転速度が「１」となる。従って、出力部材３に連結された第４遊星歯車機構ＰＧＳ４のリングギヤＲｄ（第１０要素）の回転速度が「｛ｈ・（ｋ＋１）＋ｋ・（ｊ＋１）｝／｛ｋ・（ｈ＋ｊ＋１）｝」となって、６速段が確立される。
【００７３】
７速段を確立する場合には、第３ブレーキＢ３を固定状態にすると共に、第１クラッチＣ１及び第２クラッチＣ２を連結状態にする。第３ブレーキＢ３を固定状態にすることで、第２連結体Ｒａ−Ｃｃの回転速度が「０」となる。そして、入力軸２に連結された第１遊星歯車機構ＰＧＳ１のサンギヤＳａ（第１要素）の回転速度は「１」であるため、第１連結体Ｃａ−Ｒｂの回転速度が「１／（ｈ＋１）」となる。
【００７４】
そして、第１クラッチＣ１を連結状態にすることで、第３連結体Ｃｂ−Ｃｄの回転速度が「１」となり、第２クラッチＣ２を連結状態にすることで、第４連結体Ｒｃ−Ｓｄが第１連結体Ｃａ−Ｒｂと同一速度で回転する。従って、出力部材３に連結された第４遊星歯車機構ＰＧＳ４のリングギヤＲｄ（第１０要素）の回転速度が「｛ｈ・（ｋ＋１）＋ｋ｝／｛（ｈ＋１）・ｋ｝」となって、７速段が確立される。
【００７５】
８速段を確立する場合には、第２ブレーキＢ２及び第３ブレーキＢ３を固定状態にすると共に、第１クラッチＣ１を連結状態にする。第２ブレーキＢ２を固定状態にすることで、第３遊星歯車機構ＰＧＳ３のサンギヤＳｃ（第９要素）の回転速度が「０」となる。又、第３ブレーキＢ３を固定状態にすることで、第３遊星歯車機構ＰＧＳ３のキャリアＣｃ（第８要素）の回転速度が「０」となる。
【００７６】
このため、第３遊星歯車機構ＰＧＳ３のキャリアＣｃ（第８要素）と第３遊星歯車機構ＰＧＳ３のサンギヤＳｃ（第９要素）との回転速度が共に「０」となるため、第３遊星歯車機構ＰＧＳ３の第７〜第９の３つの要素Ｒｃ，Ｃｃ，Ｓｃが相対回転不能なロック状態となり、第７〜第９要素Ｒｃ，Ｃｃ，Ｓｃの回転速度が「０」となる。そして、第４連結体Ｒｃ−Ｓｄの回転速度も「０」となる。
【００７７】
又、第１クラッチＣ１を連結状態にすることで、第３連結体Ｃｂ−Ｃｄの回転速度が「１」となる。従って、出力部材３に連結された第４遊星歯車機構ＰＧＳ４のリングギヤＲｄ（第１０要素）の回転速度が「（ｋ＋１）／ｋ」となって、８速段が確立される。
【００７８】
９速段を確立する場合には、第２ブレーキＢ２及び第５ブレーキＢ５を固定状態にすると共に、第１クラッチＣ１を連結状態にする。第５ブレーキＢ５を固定状態にすることで、第１連結体Ｃａ−Ｒｂの回転速度が「０」となる。入力軸２に連結された第１遊星歯車機構ＰＧＳ１のサンギヤＳａ（第１要素）の回転速度は「１」であるため、第２連結体Ｒａ−Ｃｃの回転速度が「−１／ｈ」となる。
【００７９】
又、第２ブレーキＢ２を固定状態にすることで、第３遊星歯車機構ＰＧＳ３のサンギヤＳｃ（第９要素）の回転速度が「０」となり、第４連結体Ｒｃ−Ｓｄの回転速度が「−（ｊ＋１）／（ｈｊ）」となる。又、第１クラッチＣ１を連結状態にすることで、第３連結体Ｃｂ−Ｃｄの回転速度が「１」となる。
【００８０】
従って、出力部材３に連結された第４遊星歯車機構ＰＧＳ４のリングギヤＲｄ（第１０要素）の回転速度が「（ｈｊｋ＋ｈｊ＋ｊ＋１）／（ｈｊｋ）」となって、９速段が確立される。
【００８１】
後進段を確立する場合には、第２ブレーキＢ２及び第４ブレーキＢ４を固定状態にすると共に、第２クラッチＣ２を連結状態にする。第２ブレーキＢ２を固定状態にして、第２クラッチＣ２を連結状態にすることで、３速段及び６速段を確立する場合と同様に、第１連結体Ｃａ−Ｒｂ及び第４連結体Ｒｃ−Ｓｄの回転速度が「（ｊ＋１）／（ｈ＋ｊ＋１）」となる。
【００８２】
そして、第４ブレーキＢ４を固定状態にすることで、第３連結体Ｃｂ−Ｃｄの回転速度が「０」となる。従って、出力部材３に連結された第４遊星歯車機構ＰＧＳ４のリングギヤＲｄ（第１０要素）の回転速度が「（ｊ＋１）／｛ｋ・（ｈ＋ｊ＋１）｝」となって、後進段が確立される。
【００８３】
尚、図２中の点線で示す速度線は、４つの遊星歯車機構ＰＧＳ１〜ＰＧＳ４のうち動力伝達する遊星歯車機構に追従して他の遊星歯車機構の各要素が回転することを表している。
【００８４】
図３（ａ）は、上述した各変速段における第１〜第５の５つのブレーキＢ１〜Ｂ５、及び第１と第２の２つのクラッチＣ１，Ｃ２の状態を纏めて表示した図であり、第１〜第５の５つのブレーキＢ１〜Ｂ５及び第１と第２の２つのクラッチＣ１，Ｃ２の欄の「○」は固定状態又は連結状態であることを表している。
【００８５】
又、図３（ｂ）は、図３（ｄ）に示すように、第１遊星歯車機構ＰＧＳ１のギヤ比ｈを２．８７６、第２遊星歯車機構ＰＧＳ２のギヤ比ｉを３．６８４、第３遊星歯車機構ＰＧＳ３のギヤ比ｊを３．６５５、第４遊星歯車機構ＰＧＳ４のギヤ比ｋを２．３２１とした場合の各変速段のギヤレシオ（入力軸２の回転速度／出力部材３の回転速度）を示す。これによれば、図３（ｃ）に示される公比（各変速段間のギヤレシオの比）が適切になると共に、図３（ｄ）に示すレシオレンジ（１速段のギヤレシオ／９速段のギヤレシオ）も適切になる。
【００８６】
本実施形態の自動変速機によれば、前進９段及び後進１段の変速を行うことができる。又、各変速段でフリクションロスが発生する係合機構の数は４つになり、従来のように前進８段までしか確立できず各変速段で４つの係合機構が開放されるものに比べて、係合機構によるフリクションロスを増加させることなく変速段数を前進９段以上に増加させることができる。従って、自動変速機の伝達効率を低下させることなく多段化による車両の燃費向上を図ることができる。
【００８７】
又、本実施形態では、本発明の第１ブレーキＢ１を噛合機構たるドグクラッチで構成しているため、第１ブレーキＢ１を湿式多板ブレーキで構成する場合に比べ、第１ブレーキＢ１が開放状態となる６速段から９速段及び後進段において、第１ブレーキＢ１たるドグクラッチでのフリクションロスが発生しない。このため、自動変速機全体として、フリクションロスをより低減させることができる。
【００８８】
又、本実施形態では、本発明の第４ブレーキＢ４を噛合機構たるドグクラッチで構成しているため、第４ブレーキＢ４を湿式多板ブレーキで構成する場合に比べ、第４ブレーキＢ４が，フリクションロスが発生する開放状態となる２速段から９速段において、第４ブレーキＢ４としてのドグクラッチでのフリクションロスが発生しない。このため、自動変速機全体として、フリクションロスをより低減させることができる。
【００８９】
又、本実施形態においては、第１〜第４の４つの遊星歯車機構ＰＧＳ１〜ＰＧＳ４を所謂シングルピニオン型の遊星歯車機構で構成している。このため、第１〜第４の４つの遊星歯車機構ＰＧＳ１〜ＰＧＳ４を、サンギヤと、リングギヤと、互いに噛合すると共に一方がサンギヤに噛合し他方がリングギヤに噛合する一対のピニオンを自転及び公転自在に軸支するキャリアとからなる所謂ダブルピニオン型の遊星歯車機構で構成したものに比べ、ギヤの噛合回数を減少させることができ、伝達効率を向上させることができる。
【００９０】
尚、本実施形態においては、第１ブレーキＢ１又は第４ブレーキＢ４として、ドグクラッチを用いたが、これに限らず、第１ブレーキＢ１又は第４ブレーキＢ４を、同期機能を有する噛合機構たるシンクロメッシュ機構で構成してもよい。これによっても、湿式多板クラッチで構成した場合に比べ、フリクションロスを抑えることができる。
【００９１】
又、図４に示すように、第１ブレーキＢ１及び第４ブレーキＢ４を湿式多板クラッチＣＬで構成しても、各変速段における開放数を４つ以下にできるという本発明の効果を得ることができる。
【００９２】
又、本実施形態では、第４遊星歯車機構ＰＧＳ４を第３遊星歯車機構ＰＧＳ３の径方向外方に配置しているが、これに限らず、第３遊星歯車機構ＰＧＳ３と第４遊星歯車機構ＰＧＳ４とを軸方向に並べて配置してもよい。
【００９３】
又、本実施形態では、図５に示すように、第１ブレーキＢ１及び第４ブレーキＢ４を２ウェイクラッチＴＷで構成してもよい。
【００９４】
図６を参照して、２ウェイクラッチＴＷの一例を具体的に説明する。図６に示すように、２ウェイクラッチＴＷは、インナーリングＴＷ１と、アウターリングＴＷ２と、インナーリングＴＷ１とアウターリングＴＷ２との間に配置される保持リングＴＷ３とを備える。
【００９５】
インナーリングＴＷ１には、外周面に複数のカム面ＴＷ１ａが形成されている。保持リングＴＷ３には、カム面ＴＷ１ａに対応させて複数の切欠孔ＴＷ３ａが設けられている。この切欠孔ＴＷ３ａには、ローラＴＷ４が収容されている。
【００９６】
又、２ウェイクラッチＴＷは、図示を省略した第１と第２の２つの電磁クラッチを備える。第１電磁クラッチは、通電されることによりアウターリングＴＷ２と保持リングＴＷ３とを連結するように構成されている。第１電磁クラッチが通電されていない場合には、保持リングＴＷ３は、インナーリングＴＷ１及びアウターリングＴＷ２に対して相対回転自在となるように構成されている。
【００９７】
又、ローラＴＷ４の径は、図６（ａ）に示すように、ローラＴＷ４がカム面ＴＷ１ａの中央部に存するときは隙間Ａが開き、図６（ｂ）及び（ｃ）に示すように、ローラＴＷ４がカム面ＴＷ１ａの端部に存するときにはインナーリングＴＷ１及びアウターリングＴＷ２に接触するように設定されている。
【００９８】
第１電磁クラッチが通電されていない場合には、保持リングＴＷ３がインナーリングＴＷ１及びアウターリングＴＷ２に対して自由に回転することができるため、図６（ａ）に示すように、ローラＴＷ４はカム面ＴＷ１ａの中央部に位置し続けることが可能な状態となる。
【００９９】
第１電磁クラッチが通電されている場合には、保持リングＴＷ３はアウターリングＴＷ２に連結されるため、インナーリングＴＷ１がアウターリングＴＷ２に対する相対回転速度における正転及び逆転のどちらに回転する状態においても、図６（ｂ）及び（ｃ）に示すように、ローラＴＷ４がカム面ＴＷ１ａの端部に位置することとなる。
【０１００】
このとき、ローラＴＷ４がカム面ＴＷ１ａとアウターリングＴＷ２の内周面とに挟まれて、インナーリングＴＷ１のアウターリングＴＷ２に対する相対回転が阻止される。即ち、２ウェイクラッチＴＷは、インナーリングＴＷ１とアウターリングＴＷ２とが連結された連結状態となる。
【０１０１】
第２電磁クラッチは、図６（ｂ）に示すように切欠孔ＴＷ３ａがカム面ＴＷ１ａの一方の端部に位置する状態で保持リングＴＷ３をインナーリングＴＷ１に連結させる第１保持状態と、図６（ｃ）に示すように切欠孔ＴＷ３ａがカム面ＴＷ１ａの他方の端部に位置する状態で保持リングＴＷ３をインナーリングＴＷ１に連結させる第２保持状態と、保持リングＴＷ３とインナーリングＴＷ１との連結を断つ開放状態とに切換自在に構成されている。
【０１０２】
図６において、アウターリングＴＷ２に対するインナーリングＴＷ１の時計回りの回転方向を逆転方向とすると、２ウェイクラッチＴＷは、第１電磁クラッチを通電されていない状態（通電オフ状態）としてアウターリングＴＷ２と保持リングＴＷ３との連結を断つと共に、第２電磁クラッチを図６（ｂ）の第１保持状態とすることにより逆転阻止状態となる。又、２ウェイクラッチＴＷは、第１電磁クラッチを通電オフ状態とし、第２電磁クラッチを図６（ｃ）の第２保持状態とすることにより正転阻止状態となる。
【０１０３】
又、第１電磁クラッチを通電オフ状態とし、第２電磁クラッチを開放状態とすることにより、２ウェイクラッチＴＷは、図６（ａ）に示すように、ローラＴＷ４がカム面ＴＷ１ａの中央部に位置し続ける状態となって、インナーリングＴＷ１がアウターリングＴＷ２に対して自由に回転することができる状態、即ち、開放状態となる。
【０１０４】
又、２ウェイクラッチＴＷは、第２電磁クラッチを省略し、第１電磁クラッチを切り換えることにより、連結状態と開放状態とにのみ切換自在に構成することもできる。
【０１０５】
第１ブレーキＢ１を２ウェイクラッチＴＷで構成する場合には、１速段から５速段を確立するときには２ウェイクラッチＴＷを連結状態として第１ブレーキＢ１を固定状態とし、６速段から９速段及び後進段を確立するときには２ウェイクラッチＴＷを開放状態として第１ブレーキＢ１を開放状態とすることにより、各変速段を確立することができる。
【０１０６】
又、第１ブレーキＢ１を２ウェイクラッチＴＷで構成する場合、２ウェイクラッチＴＷを、１速段から９速段においては、第２遊星歯車機構ＰＧＳ２のサンギヤＳｂ（第４要素）の正転（車両が前進する回転）を許容し逆転（車両が後転する回転）を阻止する逆転阻止状態に切り換え、後進段においては、正転を阻止し逆転を許容する正転阻止状態に切り換えるようにしてもよい。後進段で正転阻止状態とすることにより、第２遊星歯車機構ＰＧＳ２のサンギヤＳｂ（第４要素）の逆転が許容される。
【０１０７】
この際、逆転阻止状態において、第２遊星歯車機構ＰＧＳ２のサンギヤＳｂ（第４要素）に逆転しようとする駆動力が伝わる状態、即ち、１速段から５速段においては、２ウェイクラッチＴＷの働きによって逆転が阻止されることで回転速度が「０」となって、自動的に固定状態となる。逆に、第２遊星歯車機構ＰＧＳ２のサンギヤＳｂ（第４要素）に正転しようとする駆動力が伝わる状態、即ち、６速段から９速段においては自動的に開放状態となる。
【０１０８】
又、１速段から５速段において、車両が減速状態にあるときに第１ブレーキＢ１たる２ウェイクラッチＴＷを正転阻止状態に切り換えれば、エンジンブレーキを効かせることもできる。又、２ウェイクラッチＴＷの働きにより、５速段から６速段へアップシフトする際には、第２ブレーキＢ２を固定状態に切り換えるだけでよく、６速段から５速段へダウンシフトする際には、第２ブレーキＢ２を開放状態に切り換えるだけでよい。
【０１０９】
従って、５速段と６速段との間の変速の際に、第１ブレーキＢ１をドグクラッチで構成した場合には第１及び第２の２つのブレーキＢ１，Ｂ２の状態を切り換える必要があるのに比べ、５速段と６速段との間の変速の制御性を向上させることができる。
【０１１０】
又、２ウェイクラッチＴＷは、フリクションロスが発生しない。このため、自動変速機全体として、フリクションロスをより抑制することができる。
【０１１１】
一方、第４ブレーキＢ４を２ウェイクラッチＴＷで構成する場合、２ウェイクラッチＴＷは、第３連結体Ｃｂ−Ｃｄの正転を許容し逆転を阻止する逆転阻止状態と第３連結体Ｃｂ−Ｃｄの正転を阻止し逆転を許容する正転阻止状態とに切り換えられる。これによってもフリクションロスを更に抑制できる。
【０１１２】
このときの２ウェイクラッチＴＷの各速段での状態を、図３（ａ）中の第４ブレーキＢ４の状態を示す「Ｂ４」欄において、括弧内に示す。Ｒは２ウェイクラッチＴＷが逆転阻止状態にあり、Ｆは正転阻止状態にあることを意味する。
【０１１３】
但し、下線を付した「Ｒ」は、実際に２ウェイクラッチＴＷにより逆転が阻止される状態を表し、「Ｆ」は、実際に正転が阻止される状態を表す。下線の無い「Ｒ」は、２ウェイクラッチＴＷは逆転阻止状態にあるが、実際には逆転を阻止していない状態を表す。
【０１１４】
図３（ａ）の「Ｂ４」欄のように、２ウェイクラッチＴＷの状態は、１速段から９速段においては逆転阻止状態に、後進段においては正転阻止状態に切り換えられる。このとき、逆転阻止状態において第３連結体Ｃｂ−Ｃｄに逆転しようとする駆動力が伝わる状態、即ち１速段においては、第３連結体Ｃｂ−Ｃｄは、２ウェイクラッチＴＷにより実際に逆転が阻止され、回転速度が「０」となる。これにより、第４ブレーキＢ４は、自動的に固定状態となる。
【０１１５】
逆転阻止状態において第３連結体Ｃｂ−Ｃｄに正転しようとする駆動力が伝わる状態、即ち２速段から９速段においては、２ウェイクラッチＴＷが実際に逆転を阻止することはない。即ち、第４ブレーキＢ４は、自動的に開放状態となる。尚、１速段において、車両が減速状態にあるときに第４ブレーキＢ４たる２ウェイクラッチＴＷを正転阻止状態に切り換えれば、エンジンブレーキを効かせることもできる。
【０１１６】
又、正転阻止状態において、第３連結体Ｃｂ−Ｃｄに正転しようとする駆動力が伝わる状態、即ち後進段においては、２ウェイクラッチＴＷよって正転が阻止されることにより回転速度が「０」となる。これにより、第４ブレーキＢ４は、自動的に固定状態となる。後進段において、車両が減速状態にあるときに第４ブレーキＢ４たる２ウェイクラッチＴＷを逆転阻止状態に切り換えれば、エンジンブレーキを効かせることもできる。
【０１１７】
又、第４ブレーキＢ４を２ウェイクラッチＴＷで構成することにより、２ウェイクラッチＴＷの働きにより、１速段から２速段へアップシフトする際には、第３ブレーキＢ３を固定状態に切り換えるだけでよく、又、２速段から１速段へダウンシフトする際には、第３ブレーキＢ３を開放状態に切り換えるだけでよい。
【０１１８】
従って、１速段と２速段との間の変速に際しては、第４ブレーキＢ４がドグクラッチで構成され、第３及び第４の２つのブレーキＢ３及びＢ４の状態を切り換える必要がある場合に比べ、１速段と２速段との間の変速の制御性を向上させることができる。
【０１１９】
尚、第１ブレーキＢ１又は第４ブレーキＢ４として２ウェイクラッチＴＷを用いる場合には、図外のトランスミッション・コントロール・ユニットによって２ウェイクラッチＴＷにおける各状態が切り換えられる。
【０１２０】
又、本実施形態では、エンジンＥＮＧの動力を、トルクコンバータＴＣを介して入力軸２に伝達しているが、トルクコンバータＴＣに代えて、図７に示すような、ダンパＤＡ及び摩擦係合により動力を伝達自在な単板型又は多板型の発進クラッチＣ０を用いてもよい。
【符号の説明】
【０１２１】
１…変速機ケース、２…入力軸、３…出力部材、Ｂ１〜Ｂ５…第１〜第５ブレーキ、Ｃ１…第１クラッチ、Ｃ２…第２クラッチ、Ｃａ…キャリア（第２要素）、Ｃｂ…キャリア（第５要素）、Ｃｃ…キャリア（第８要素）、Ｃｄ…キャリア（第１１要素）、ＥＮＧ…エンジン（駆動源）、ＰＧＳ１…第１遊星歯車機構、Ｐａ…ピニオン、ＰＧＳ２…第２遊星歯車機構、Ｐｂ…ピニオン、ＰＧＳ３…第３遊星歯車機構、Ｐｃ…ピニオン、ＰＧＳ４…第４遊星歯車機構、Ｐｄ…ピニオン、Ｒａ…リングギヤ（第３要素）、Ｒｂ…リングギヤ（第６要素）、Ｒｃ…リングギヤ（第７要素）、Ｒｄ…リングギヤ（第１０要素）、Ｓａ…サンギヤ（第１要素）、Ｓｂ…サンギヤ（第４要素）、Ｓｃ…サンギヤ（第９要素）、Ｓｄ…サンギヤ（第１２要素）、ＴＣ…トルクコンバータ、ＴＷ…２ウェイクラッチ。
【図１】
0005802584.tif 000002
【図２】
0005802584.tif 000003
【図３】
0005802584.tif 000004
【図４】
0005802584.tif 000005
【図５】
0005802584.tif 000006
【図６】
0005802584.tif 000007
【図７】
0005802584.tif 000008